【手続補正書】
【提出日】平成26年10月27日(2014.10.27)
【手続補正１】
【補正対象書類名】明細書
【補正対象項目名】００６３
【補正方法】変更
【補正の内容】
【００６３】
家電製品の例には、洗濯機、ドライヤー、冷蔵庫、空調装置、及び暖房装置があるが、これらに限定されない。レクリエーション及びスポーツの例には、インラインスケート部品、野球バット、ホッケー用スティック、スキー及びスノーボード締め具、リュックサックバック及びフレーム、及び自転車フレームがあるが、これらに限定されない。機械用構造部品の例には、例えば、携帯電子装置、コンピューター用のハウジングなどの電気／電子部品があるが、これらに限定されない。
次に、本発明の好ましい態様を示す。
１．  オーバーモールド成形複合構造であって、
ｉ）表面を有する第一成分であって、その表面の少なくとも一部分が表面樹脂組成物でできており、不織構造、織物、繊維詰め物、及びこれらの組み合わせから選択される繊維状材料を含み、前記繊維状材料がマトリックス樹脂組成物により含浸されている第一成分と、
ｉｉ）オーバーモールド成形用樹脂組成物を含む第二成分とを含み、
前記第二成分が、前記第一成分の表面の少なくとも一部分の上で、前記第一成分に接着しており、
前記マトリックス樹脂組成物と前記表面樹脂組成物とが同一又は異なっており、半芳香族ポリアミドのブレンドを含むポリアミド組成物から選択される、オーバーモールド成形複合構造。
２．  前記マトリックス樹脂組成物及び前記表面樹脂組成物が、半芳香族半結晶性ポリアミド（Ａ）と半芳香族非晶性ポリアミド（Ｂ）とのブレンドを含むポリアミド組成物から選択される、上記１に記載のオーバーモールド成形複合構造。
３．  前記繊維状材料が、ガラス繊維、炭素繊維、アラミド繊維、天然繊維、又はこれらの混合物でできている、上記１又は２に記載のオーバーモールド成形複合構造。
４．  前記繊維状材料がガラス繊維でできている、上記１〜３のいずれか一項に記載のオーバーモールド成形複合構造。
５．  前記繊維状材料が、前記第一成分の３０体積パーセントから６０体積パーセントである、上記１〜４のいずれか一項に記載のオーバーモールド成形複合構造。
６．  前記ポリアミド組成物のポリアミド（Ａ）から選択される前記ポリアミドとポリアミド（Ｂ）から選択される前記ポリアミドとの重量比（Ａ：Ｂ）が、約９９：１から約５：９５である、上記１〜５のいずれか一項に記載のオーバーモールド成形複合構造。
７．  熱安定剤、酸化安定剤、強化剤、及び難燃剤、又はこれらの組み合わせからなる群から選択される１種以上の添加剤をさらに含む、上記１〜６のいずれか一項に記載のオーバーモールド成形複合構造。
８．  前記１種以上の半芳香族ポリアミドが、ＰＡ６／４Ｔ、ＰＡ６／６Ｔ、ＰＡ６／１０Ｔ、ＰＡ６／１２Ｔ、ＰＡ６１０／６Ｔ、ＰＡ６１２／６Ｔ、ＰＡ６１４／６Ｔ、ＰＡ６／６Ｉ／６Ｔ、ＰＡＤ６／６６／／６Ｔ、ＰＡ６ＴＤＴ、ＰＡ１０１０／１０Ｔ、ＰＡ１０１０／１２１０／１０Ｔ／１２Ｔ、ＰＡ１１／４Ｔ、ＰＡ１１／６Ｔ、ＰＡ１１／１０Ｔ、ＰＡ１１／１２Ｔ、ＰＡ１２／４Ｔ、ＰＡ１２／６Ｔ、ＰＡ１２／１０Ｔ、ＰＡ１２１２／１２Ｔ、ＰＡ６６／６Ｔ、ＰＡ６Ｉ／６Ｔ、ＰＡ６６／６Ｉ／６Ｔ、ＰＡ６Ｔ／６Ｉからなる群から選択される、上記１〜７のいずれか一項に記載のオーバーモールド成形複合構造。
９．  前記１種以上の半芳香族半結晶性ポリアミドが、ＰＡ６６／６Ｔ、ＰＡ６ＴＤＴ、ＰＡ６Ｉ／６Ｔ  ＰＡ６６／６Ｉ／６Ｔ、並びにこれらの組み合わせ及びコポリマーからなる群から選択され、前記半芳香族非晶性ポリアミド（Ｂ）が、前記非晶性半芳香族ポリアミド中のイソフタル酸の量が少なくとも６０モル％であるＰＡ６Ｉ／６Ｔ及びＰＡ６６／６Ｔ／６Ｉ、並びにこれらの組み合わせ及びコポリマーからなる群から選択される、上記１〜８のいずれか一項に記載のオーバーモールド成形複合構造。
１０．  自動車、トラック、民間飛行機、航空宇宙、レール、家電製品、コンピューターハードウェア、携帯用端末、レクリエーション及びスポーツ用の構造部品、機械の構造部品、建築物の構造部品、太陽光発電装置の構造部品、又は機械的装置の構造部品の形態である、上記１〜９のいずれか一項に記載のオーバーモールド成形複合構造。
１１．  オーバーモールド成形複合構造を製造する方法であって、
第一成分の上に、オーバーモールド成形用樹脂組成物を含む第二成分をオーバーモールド成形する工程を含み、
前記第一成分が繊維状材料を含み、表面を有し、前記表面はその少なくとも一部分が表面樹脂組成物でできており、前記繊維状材料が、不織構造、織物、繊維詰め物、及びこれらの組み合わせから選択され、前記繊維状材料がマトリックス樹脂組成物により含浸されており、
前記マトリックス樹脂組成物と前記表面樹脂組成物組成物とが同一又は異なっており、半芳香族ポリアミドのブレンドを含むポリアミド組成物から選択される方法。
１２．  前記マトリックス樹脂組成物及び前記表面樹脂組成物が、半芳香族半結晶性ポリアミド（Ａ）と半芳香族非晶性ポリアミド（Ｂ）とのブレンドを含むポリアミド組成物から選択される、上記１１に記載の方法。
１３．  オーバーモールド成形する前記工程の前に、前記第一成分を付形する工程をさらに含む、上記１１又は１２に記載の方法。
１４．  オーバーモールド成形する前記工程が、前記第一成分を前記オーバーモールド成形用樹脂組成物に完全に封入することを含む、上記１１〜１３のいずれか一項に記載の方法。
１５．  前記第一成分が、オーバーモールド成形する前記工程の前に加熱されて、前記オーバーモールド成形用樹脂組成物との界面を形成する表面が軟化又は部分的に溶融される、上記１１〜１４のいずれか一項に記載の方法。
１６．  前記第一成分が、オーバーモールド成形する前記工程の前に加熱されない、上記１１〜１４のいずれか一項に記載の方法。
【手続補正２】
【補正対象書類名】特許請求の範囲
【補正対象項目名】全文
【補正方法】変更
【補正の内容】
【特許請求の範囲】
【請求項１】
オーバーモールド成形複合構造であって、
ｉ）表面を有する第一成分であって、その表面の少なくとも一部分が表面樹脂組成物でできており、不織構造、織物、繊維詰め物、及びこれらの組み合わせから選択される繊維状材料を含み、前記繊維状材料がマトリックス樹脂組成物により含浸されている第一成分と、
ｉｉ）オーバーモールド成形用樹脂組成物を含む第二成分とを含み、
前記第二成分が、前記第一成分の表面の少なくとも一部分の上で、前記第一成分に接着しており、
前記マトリックス樹脂組成物と前記表面樹脂組成物とが同一又は異なっており、半芳香族ポリアミドのブレンドを含むポリアミド組成物から選択される、オーバーモールド成形複合構造。
【請求項２】
オーバーモールド成形複合構造を製造する方法であって、
第一成分の上に、オーバーモールド成形用樹脂組成物を含む第二成分をオーバーモールド成形する工程を含み、
前記第一成分が繊維状材料を含み、表面を有し、前記表面はその少なくとも一部分が表面樹脂組成物でできており、前記繊維状材料が、不織構造、織物、繊維詰め物、及びこれらの組み合わせから選択され、前記繊維状材料がマトリックス樹脂組成物により含浸されており、
前記マトリックス樹脂組成物と前記表面樹脂組成物組成物とが同一又は異なっており、半芳香族ポリアミドのブレンドを含むポリアミド組成物から選択される方法。